(57)【特許請求の範囲】
【請求項１】
遊技面を装飾するために用いられる遊技機の可動装飾装置において、
枠状の装置本体と、
前記遊技面に沿って中心からそれぞれ異なる方向に延びる複数の片を備えた４個以上の可動装飾片と、
前記可動装飾片が備える前記複数の片のうちの２つの片の先端部側部分を互いに回転可能にした状態で順次連結していくことにより前記４個以上の可動装飾片を環状に組み付ける端部連結部と、
前記装置本体の外周側から互いの間隔を保って前記装置本体の中心に向かって内周側に延び、所定の可動装飾片の中心または所定の端部連結部を介して連結された部分を前記装置本体の外周側と前記装置本体の内周側との間で移動可能に支持する複数の固定ガイド部と、
前記装置本体に設置され、前記４個以上の可動装飾片のうちの少なくとも１個の可動装飾片を移動させて、前記所定の可動装飾片の中心または前記所定の端部連結部を介して連結された部分をそれぞれ対応する固定ガイド部に沿って移動させることにより、前記４個以上の可動装飾片で形成される環状を広げたり狭めたりする駆動装置と
を備えたことを特徴とする遊技機の可動装飾装置。
【請求項２】
前記可動装飾片を中心から等角度を保って外側に延びる３つの片を備えたＹ字形可動装飾片で構成した請求項１に記載の遊技機の可動装飾装置。
【請求項３】
前記Ｙ字形可動装飾片を２個重ねてその中心どうしを中心連結部で互いに回転可能にした状態で連結したものを６対準備し、前記６対のＹ字形可動装飾片のそれぞれの２つの片の先端部側部分を前記端部連結部で互いに回転可能にした状態で順次連結していくことにより前記６対のＹ字形可動装飾片を環状に組み付けた請求項２に記載の遊技機の可動装飾装置。
【請求項４】
前記可動装飾片を中心から等角度を保って外側に延びる４つの片を備えた十字形可動装飾片で構成した請求項１に記載の遊技機の可動装飾装置。
【請求項５】
前記十字形可動装飾片を２個重ねてその中心どうしを中心連結部で互いに回転可能にした状態で連結したものを４対準備し、前記４対の十字形可動装飾片のそれぞれ隣り合った２つの片の先端部側部分を前記端部連結部で互いに回転可能にした状態で順次連結していくことにより前記４対の十字形可動装飾片を環状に組み付けた請求項４に記載の遊技機の可動装飾装置。
【請求項６】
前記可動装飾片を透光性を有する材料で構成して、前記可動装飾片の内部にＬＥＤを設けるとともに、前記ＬＥＤに、前記装置本体から延びてくる配線を接続した請求項１ないし５のうちのいずれか一つに記載の遊技機の可動装飾装置。
【請求項７】
前記駆動装置を、前記装置本体に設けられたモータと、前記装置本体の内周側で直線移動が可能なスライダーギアと、前記スライダーギアに歯合する歯部を備え前記モータの作動により回転して前記スライダーギアを前記装置本体の内周側で直線移動させる減速ギアと、前記スライダーギアに設けられ、前記少なくとも１個の可動装飾片を前記スライダーギアの移動方向に直交する方向に移動可能に支持する移動ガイド部とで構成した請求項１ないし６のうちのいずれか一つに記載の遊技機の可動装飾装置。
【発明の詳細な説明】
【技術分野】
【０００１】
本発明は、遊技面を装飾するために用いられる遊技機の可動装飾装置に関する。
【背景技術】
【０００２】
従来から、パチンコ機やスロットルマシン等の遊技機においては、遊技に面白さを増すためや、リーチのような遊技状態を表すために、装飾部材を移動させる可動装飾装置が設けられている（例えば、特許文献１参照。）。
【０００３】
この可動装飾装置は、同軸周りに回転可能なリング状の第１回転体、第２回転体および両回転体間の内周に沿って配列された複数の可動片を備えている。そして、各可動片は第１回転体に回動可能に軸支され、各可動片における第２回転体側には、ガイドピンが形成されている。一方、各可動片に対応する第２回転体の各部にはガイド溝が形成されており、このガイド溝にガイドピンを係合させることにより、各可動片と第２回転体とが連結されている。また、この可動装飾装置には、第１回転体と第２回転体とを異なる回転速度で回転させる駆動手段が備わっている。そして、駆動手段の作動により回転する第１回転体と第２回転体との回転速度差に基づいてガイド溝内でのガイドピンの位置を変化させ、可動片の向く角度を変化させることにより、両回転体の内側に区画された表示部の露出領域の形状または面積を変化させることができる。
【先行技術文献】
【特許文献】
【０００４】
【特許文献１】特開２００８−２８４１１２号公報
【発明の概要】
【０００５】
しかしながら、前述した可動装飾装置では、第１回転体と第２回転体との間に配列された複数の可動片が第１回転体と第２回転体との内周縁部から内部側の空間部に突出して、表示部の露出面積を小さくしたり、複数の可動片が第１回転体と第２回転体との間の部分に後退して、表示部の露出面積を大きくしたりするという比較的単純な変化であるため面白味に欠けるという問題がある。また、第１回転体と第２回転体とを異なる回転速度で回転させるために、変速ギアや遊星歯車等多数のギアで構成されるギアユニットが必要になり、駆動手段の構造が複雑になるという問題もある。
【０００６】
本発明は、前述した問題に対処するためになされたもので、その目的は、単純な構造の駆動装置を用いて可動装飾片を大きく移動させることができる変化に富んだ遊技機の可動装飾装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る遊技機の可動装飾装置の構成上の特徴は、遊技面を装飾するために用いられる遊技機の可動装飾装置（Ａ）において、枠状の装置本体（１０）と、遊技面に沿って中心からそれぞれ異なる方向に延びる複数の片（２１ａ，２２ａ，５１ａ，５２ａ）を備えた４個以上の可動装飾片（２１，２２，５１，５２）と、可動装飾片が備える複数の片のうちの２つの片の先端部側部分を互いに回転可能にした状態で順次連結していくことにより４個以上の可動装飾片を環状に組み付ける端部連結部（２７，５７）と、装置本体の外周側から互いの間隔を保って装置本体の中心に向かって内周側に延び、所定の可動装飾片の中心（２９）または所定の端部連結部を介して連結された部分を装置本体の外周側と装置本体の内周側との間で移動可能に支持する複数の固定ガイド部（１３，１４，１５，１６）と、装置本体に設置され、４個以上の可動装飾片のうちの少なくとも１個の可動装飾片を移動させて、所定の可動装飾片の中心または所定の端部連結部を介して連結された部分をそれぞれ対応する固定ガイド部に沿って移動させることにより、４個以上の可動装飾片で形成される環状を広げたり狭めたりする駆動装置（３０Ｌ，３０Ｒ）とを備えたことにある。
【０００８】
本発明に係る遊技機の可動装飾装置では、端部連結部によって互いに回転可能な状態で環状に組み付けられた４個以上の可動装飾片における所定の可動装飾片の中心または所定の端部連結部を介して連結された部分を複数の固定ガイド部に沿って移動可能にしている。そして、４個以上の可動装飾片のうちの少なくとも１個の可動装飾片を駆動装置の作動により移動させて、４個以上の可動装飾片で形成される環状を広げたり狭めたりするように構成されている。
【０００９】
この場合、複数の固定ガイド部は、それぞれ装置本体の外周側から装置本体の中心に向かって内周側に延びているため、所定の可動装飾片の中心や所定の端部連結部を介して連結された部分は、それぞれ装置本体の枠状を形成する各部分に直交するように移動するようになる。このため、所定の可動装飾片が大きく移動するようになり、それに追従して所定の可動装飾片に連結された各可動装飾片も移動するようになり複数の可動装飾片の全体の動きが変化に富むものとなる。
【００１０】
また、複数の固定ガイド部は、例えば、装置本体を四角形の枠状に形成した場合には、その四角枠状の前後左右のそれぞれの中心部から装置本体の中心に向かって延びる４個のもので構成したり、四角枠状の装置本体の周縁部から１２０度の角度を保ってそれぞれ装置本体の中心に向かって延びる３個のもので構成したりすることができる。また、装置本体を四角形以外の形状の枠状に形成した場合にも、複数の固定ガイド部は、それぞれ所定の角度を保ってそれぞれ装置本体の中心に向かって延びる複数のもので構成する。これによって、環状に連結された複数の可動装飾片の所定部分を外周側に移動させて、環状を広げたり、複数の可動装飾片の所定部分を内周側に移動させて、環状を狭めたりすることができる。この場合、固定ガイド部は、最低２個必要であるが、複数の可動装飾片を安定して移動させるためには、３個以上にすることが好ましい。
【００１１】
駆動装置は、少なくとも１個の可動装飾片を移動させることのできるものであればよい。このため、駆動装置を単純な構造にすることができる。また、複数の可動装飾片における固定ガイド部に支持される部分や、駆動装置によって移動される部分は、固定ガイド部や駆動装置に対して移動可能であるだけでなく回転可能にしておくことが好ましい。これによって、複数の可動装飾片の移動がスムーズになる。なお、所定の端部連結部を介して連結された部分は、２つの可動装飾片を連結する端部連結部そのものであってもよいし、端部連結部によって連結される可動装飾片側部分であってもよい。
【００１２】
また、本発明に係る可動装飾片は最低で４個必要で、これによって、複数の可動装飾片で形成される環状の形状が変形可能になる。さらに、可動装飾片を構成する片は最低２つ必要で、これによって、複数の可動装飾片を環状に連結できる。中心から１８０度の角度を保って２つの片が設けられた場合には、可動装飾片は、１本の直線状に延びる片で構成されるが、この場合の片の数は２つであるものとする。また、可動装飾片を構成する各片は単純な形状の棒状や板状に形成してもよいが、凹凸模様が形成された棒状や板状に形成することがより好ましい。これによって、可動装飾片の移動による変化だけでなく、可動装飾片の形状そのものも興趣に富むものとなる。なお、可動装飾片の数は４〜１６個程度にして、移動する際に互いに干渉しないようにすることが好ましい。
【００１３】
また、本発明に係る遊技機の可動装飾装置の他の構成上の特徴は、可動装飾片を中心から等角度を保って外側に延びる３つの片（２１ａ，２２ａ）を備えたＹ字形可動装飾片（２１，２２）で構成したことにある。この場合、２つの片が各Ｙ字形可動装飾片を連結するための片となり、残りの片が環状に形成されたＹ字形可動装飾片の外周側で解放された状態で揺動する片となる。この環状の外周側で揺動する片は、環状に形成されたＹ字形可動装飾片のあまり目立たない外周側に位置し、かつ他のＹ字形可動装飾片に連結される部分でないため、他の片よりも短くしてもよい。
【００１４】
また、本発明に係る遊技機の可動装飾装置のさらに他の構成上の特徴は、Ｙ字形可動装飾片を２個重ねてその中心どうしを中心連結部（２８）で互いに回転可能にした状態で連結したものを６対準備し、６対のＹ字形可動装飾片のそれぞれの２つの片の先端部側部分を端部連結部で互いに回転可能にした状態で順次連結していくことにより６対のＹ字形可動装飾片を環状に組み付けたことにある。
【００１５】
本発明によると、６対のＹ字形可動装飾片の全体の形状は、環状に形成された６個のＹ字形可動装飾片を２組形成し、この２組の６個のＹ字形可動装飾片を重ねたときにそれぞれ対応する２個のＹ字形可動装飾片の中心を中心連結部で回転可能に連結した形状になる。このため、６個のＹ字形可動装飾片で構成されるそれぞれの環状が異なる形状で広がったり狭まったりするとともに、中心を連結された各２個のＹ字形可動装飾片が互いに回転するため、６対のＹ字形可動装飾片の全体が複雑な形状に変形するようになり興趣に富むものとなる。この場合、６対のＹ字形可動装飾片で形成される環状が広がったり狭まったりするため、あたかも雪の結晶が変化していくように見える。
【００１６】
また、本発明に係る遊技機の可動装飾装置のさらに他の構成上の特徴は、可動装飾片を中心から等角度を保って外側に延びる４つの片（５１ａ，５２ａ）を備えた十字形可動装飾片（５１，５２）で構成したことにある。この場合、２つの片が各十字形可動装飾片を連結するための片となり、残りの２つの片が環状に形成された十字形可動装飾片の外周側で解放された状態で揺動する片となる。この環状の外周側で揺動する２つの片によって十字形可動装飾片の移動による形状の変化をより大きく見せることができる。また、この環状の外周側で揺動する片は、他の十字形可動装飾片に連結される部分でないため、他の片よりも短くしてもよい。
【００１７】
また、本発明に係る遊技機の可動装飾装置のさらに他の構成上の特徴は、十字形可動装飾片を２個重ねてその中心どうしを中心連結部（５８）で互いに回転可能にした状態で連結したものを４対準備し、４対の十字形可動装飾片のそれぞれ隣り合った２つの片の先端部側部分を端部連結部（５７）で互いに回転可能にした状態で順次連結していくことにより４対の十字形可動装飾片を環状に組み付けたことにある。
【００１８】
本発明によると、４対の十字形可動装飾片の全体形状は、環状に形成された４個の十字形可動装飾片を２組形成し、この２組の４個の十字形可動装飾片を重ねたときにそれぞれ対応する２個の十字形可動装飾片の中心を中心連結部で回転可能に連結した形状になる。このため、４個の十字形可動装飾片で構成されるそれぞれの環状が異なる形状で広がったり狭まったりするとともに、中心を連結された各２個の十字形可動装飾片が互いに回転するため、４対の十字形可動装飾片の全体が複雑な形状に変形するようになり興趣に富むものとなる。
【００１９】
また、本発明に係る遊技機の可動装飾装置のさらに他の構成上の特徴は、可動装飾片を透光性を有する材料で構成して、可動装飾片の内部にＬＥＤ（４３）を設けるとともに、ＬＥＤに、装置本体から延びてくる配線（４１，４２）を接続したことにある。
【００２０】
これによると、各可動装飾片の動きに加えて、ＬＥＤの点灯による光を発生することができるため、さらに面白味が増すようになる。この場合、ＬＥＤを点滅させることにより、さらに光の変化も生じさせることができる。なお、可動装飾片の透光性は、遊技機の前方からＬＥＤの点灯や点滅を目視できる程度のものであればよい。また、ＬＥＤに接続する配線は、可動装飾片の内部に空間部を設けてその空間部に配置してもよいし、可動装飾片の裏面に沿って配置してもよい。また、可動装飾片の内部に配線を設ける場合には、板状の配線基板を用いることができる。
【００２１】
また、本発明に係る遊技機の可動装飾装置のさらに他の構成上の特徴は、駆動装置を、装置本体に設けられたモータ（３１）と、装置本体の内周側で直線移動が可能なスライダーギア（３３）と、スライダーギアに歯合する歯部を備えモータの作動により回転してスライダーギアを装置本体の内周側で直線移動させる減速ギア（３２）と、スライダーギアに設けられ、少なくとも１個の可動装飾片をスライダーギアの移動方向に直交する方向に移動可能に支持する移動ガイド部（３４）とで構成したことにある。これによると、駆動装置の作動によって移動する少なくとも１個の可動装飾片が、スライダーギアの移動方向に移動可能になるともに、移動ガイド部によってスライダーギアの移動方向に直交する方向にも移動可能になるため、任意の位置に移動できる。
【図面の簡単な説明】
【００２２】
【図１】本発明の第１実施形態に係るシャッター部が閉じた状態の可動装飾装置を示した斜視図である。
【図２】本発明の第１実施形態に係るシャッター部が半分閉じた状態の可動装飾装置を示した斜視図である。
【図３】本発明の第１実施形態に係るシャッター部が開いた状態の可動装飾装置を示した斜視図である。
【図４】図２の可動装飾装置を後方から見た状態を示した斜視図である。
【図５】表面ケースを取り外した状態の可動装飾装置を示した正面図である。
【図６】後部側に配置される可動装飾片を前方から見た状態を示した斜視図である。
【図７】後部側に配置される可動装飾片を後方から見た状態を示した斜視図である。
【図８】後部側に配置される可動装飾片の分解斜視図である。
【図９】前部側に配置される可動装飾片を前方から見た状態を示した斜視図である。
【図１０】前部側に配置される可動装飾片を後方から見た状態を示した斜視図である。
【図１１】前部側に配置される可動装飾片の分解斜視図である。
【図１２】可動装飾片の端部どうしを連結する状態を示した断面図である。
【図１３】シャッター部を示した斜視図である。
【図１４】駆動装置を示した斜視図である、
【図１５】図１の可動装飾装置を前方から見た状態を示した正面図である。
【図１６】図２の可動装飾装置を前方から見た状態を示した正面図である。
【図１７】図３の可動装飾装置を前方から見た状態を示した正面図である。
【図１８】本発明の第２実施形態に係る可動装飾装置のシャッター部が閉じた状態を示した正面図である。
【図１９】本発明の第２実施形態に係る可動装飾装置のシャッター部が半分閉じた状態を示した正面図である。
【図２０】本発明の第２実施形態に係る可動装飾装置のシャッター部が開いた状態を示した正面図である。
【発明を実施するための形態】
【００２３】
（第１実施形態）
以下、本発明の第１実施形態を図面を用いて説明する。図１ないし図３は同実施形態に係る遊技機の可動装飾装置Ａのそれぞれ異なる状態を示しており、図４は、図２に示した可動装飾装置Ａを後方から見た状態を示している。この可動装飾装置Ａは、パチンコ機本体（図示せず）の遊技面に組み込まれ、遊技面に形成された窓部の奥側に設置された表示パネルの手前で変形することにより表示パネルを露出させたり覆ったりして遊技面に変化を生じさせるものである。可動装飾装置Ａは、装置本体１０に、シャッター部２０と、一対の駆動装置３０Ｌ，３０Ｒ（図５参照）と、一対の発光装置４０Ｕ，４０Ｄと、制御基板（図示せず）とを設置して構成されている。
【００２４】
装置本体１０は、略四角形の枠状に形成されており、表面ケース１０ａと、裏面ケース１０ｂとを組み付けて構成されている。表面ケース１０ａと裏面ケース１０ｂとの間には、装置本体１０の中央側の空間に連通する凹部が外周部に沿って形成されており、装置本体１０は、それぞれ枠状に形成された前面部と後面部と、前面部と後面部との外周縁部を略連結する周面部とで構成されている。なお、本明細書では、左右および前後の方向は、図１ないし図３に基づいて記載する。そして、装置本体１０の左右における上下方向の中央側にそれぞれ駆動装置収容部１１ａ，１１ｂが形成され、装置本体１０の上下における左右方向の中央側に制御基板収容部１２ａ，１２ｂが形成されている。
【００２５】
表面ケース１０ａの上部における左右方向の中央には、表面ケース１０ａの上端から表面ケース１０ａの中央に向かって真直ぐに延び、下端が表面ケース１０ａの枠内の空間部に僅かに突出する上部固定ガイド部１３が形成されている。また、裏面ケース１０ｂの下部における左右方向の中央には、裏面ケース１０ｂの下端近傍から裏面ケース１０ｂの中央に向かって真直ぐに延び、上端が裏面ケース１０ｂの枠内の空間部に僅かに突出する下部固定ガイド部１４が形成されている。
【００２６】
そして、装置本体１０の左側部分における上下方向の中央には、装置本体１０の内側縁部近傍から装置本体１０の中央に向かって真直ぐに延び、先端が装置本体１０の枠内の空間部に僅かに突出する左固定ガイド部１５が形成されている。さらに、装置本体１０の右側部分における上下方向の中央には、装置本体１０の内側縁部近傍から装置本体１０の中央に向かって真直ぐに延び、先端が装置本体１０の枠内の空間部に僅かに突出する右固定ガイド部１６が形成されている。
【００２７】
上部固定ガイド部１３は、表面ケース１０ａの前面から前方に突出し、内部が前後方向に貫通する穴部に形成された縦長の長円状の枠状部１３ａと、枠状部１３ａの内周面の左右両側に枠状部１３ａの長手方向に沿ってそれぞれ形成され枠状部１３ａの内部に僅かに突出する一対のガイド部１３ｂとで構成されている。下部固定ガイド部１４は、裏面ケース１０ｂの前面から前方に平行して突出する縦長の一対の壁部１４ａと、一対の壁部１４ａの前端部に一対の壁部１４ａの長手方向に沿ってそれぞれ形成され一対の壁部１４ａの内部側に僅かに突出する一対のガイド部１４ｂとで構成されている。この上部固定ガイド部１３と、下部固定ガイド部１４とは、装置本体１０を正面から見たときに、直線上に位置する（図１５ないし図１７参照）。
【００２８】
左固定ガイド部１５は、表面ケース１０ａと裏面ケース１０ｂとの双方にわたって形成されており、表面ケース１０ａから後方に突出した状態で左右に延びる一対のガイド部を備えた前部ガイド１５ａと、裏面ケース１０ｂから前部ガイド１５ａに対向して前方に突出した状態で左右に延びる一対のガイド部を備えた後部ガイド１５ｂとで構成されている。前部ガイド１５ａと後部ガイド１５ｂとは間隔を保って配置されている。
【００２９】
同様に、右固定ガイド部１６も、表面ケース１０ａと裏面ケース１０ｂとの双方にわたって形成されており、表面ケース１０ａから後方に突出した状態で左右に延びる一対のガイド部を備えた前部ガイド１６ａと、裏面ケース１０ｂから前部ガイド１６ａに対向して前方に突出した状態で左右に延びる一対のガイド部を備えた後部ガイド１６ｂ（図５参照）とで構成されている。前部ガイド１６ａと後部ガイド１６ｂも間隔を保って配置されている。また、左固定ガイド部１５と、右固定ガイド部１６も、装置本体１０を正面から見たときに、直線上に位置する。
【００３０】
シャッター部２０は、６個のＹ字形可動装飾片２１と、６個のＹ字形可動装飾片２２とを互いに回転可能な状態に組み付けて構成されており、装置本体１０の内部空間に配置されている。６個のＹ字形可動装飾片２１は後部側に配置され、６個のＹ字形可動装飾片２２は６個のＹ字形可動装飾片２１の前部側に重なって配置されている。各Ｙ字形可動装飾片２１は、中心から１２０度の角度を保って延びる３つの片２１ａを備えているが、シャッター部２０の外周側に位置する片２１ａの中には他の片２１ａよりも短く形成されているものも含まれている。
【００３１】
各Ｙ字形可動装飾片２１は、図６ないし図８に示したように、表面が凸面で裏面が収容部を構成する凹面に形成された３つの片からなる透光性を有するＹ形の表面部２３と、表面部２３の裏面にねじによって取り付けられた２つの片からなる略Ｖ形板状の蓋部２４とで構成されている。そして、Ｙ字形可動装飾片２１の内部に３つの片からなるＹ形のプリント配線板４１が収納されている。表面部２３は、装飾用の凹凸模様（図１〜３，５，１５〜１７では省略している）が形成された正面と正面の周縁部から後方に延びる側面とを備えている。また、表面部２３の３つの片のうちの制御基板収容部１２ａ，１２ｂに最も近い位置に配置される片、またはその近傍には窓穴２３ａ（図５参照）が形成されている。
【００３２】
プリント配線板４１の各片は、表面部２３の各片の先端側に、Ｙ字形可動装飾片２２との連結のためのスペースを設けるため、表面部２３の各片よりも短く形成されている。そして、プリント配線板４１の３つの片のうちの窓穴２３ａに対向する部分には、後述する制御基板から延びてくる配線をプリント配線板４１に接続するためのコネクタ４１ａが設けられている。プリント配線板４１には、コネクタ４１ａからプリント配線板４１の中央を通ってそれぞれ他の片の先端側に延びる配線が形成されている。蓋部２４は、プリント配線板４１におけるシャッター部２０の外周側に配置される片以外の片を覆った状態で表面部２３の裏面に取り付けられており、各片の長手方向の略中央に、それぞれ熱放出用のガイド孔２４ａが形成されている。
【００３３】
前部側に配置される各Ｙ字形可動装飾片２２は、図９ないし図１１に示したように、中心から１２０度の角度を保って延びる３つの片２２ａを備えているが、シャッター部２０の外周側に配置される片２２ａの中には他の片２２ａよりも短く形成されているものも含まれている。このＹ字形可動装飾片２２は、透光性を有する表面部２５および３つに分割された蓋部２６ａ，２６ｂ，２６ｃを備えており、内部にプリント配線板４２が収容されている。プリント配線板４２の所定の部分にはコネクタ４２ａが設けられている。
【００３４】
表面部２５は、前述した表面部２３と略同じ構成をしているが、プリント配線板４２の各片は、表面部２５の各片の先端近傍まで延びている。また、蓋部２６ａは、プリント配線板４２の中央部分を覆い、蓋部２６ｂ，２６ｃは、プリント配線板４２におけるシャッター部２０の外周側に配置される片以外の片の先端側部分を覆っている。したがって、Ｙ字形可動装飾片２２では、各蓋部２６ａ，２６ｂ，２６ｃの間から熱が放出される。また、表面部２５の所定の片（コネクタ４２ａが設けられた片）には、ハーネスカバー２５ａが取り付けられ、所定のＹ字形可動装飾片２２におけるシャッター部２０の外周側に配置される片には、緩衝部２５ｂが取り付けられている。
【００３５】
シャッター部２０は、このような後部側に配置される６個のＹ字形可動装飾片２１と、前部側に配置される６個のＹ字形可動装飾片２２とを、端部連結部２７と中心連結部２８とを介して組み付けることにより形成されている。図１２に示したように、前部側（図１２では上部）に配置されるＹ字形可動装飾片２２の片２２ａの先端側に取り付けられた蓋部２６ｂ，２６ｃの先端側後部には、ねじ穴２６ｄを備えた突部２６ｅが形成され、後部側（図１２では下部）に配置されるＹ字形可動装飾片２１の片２１ａの先端側には、前後に貫通するねじ挿通穴２１ｂが形成されている。そして、端部連結部２７は、ねじ２７ａとワッシャ２７ｂとで構成されており、ワッシャ２７ｂの穴部を通したねじ２７ａを、Ｙ字形可動装飾片２１の後部側からねじ挿通穴２１ｂに通し、Ｙ字形可動装飾片２２のねじ穴２６ｄに螺合させることにより、両Ｙ字形可動装飾片２１，２２を互いに回転可能な状態で連結している。
【００３６】
なお、Ｙ字形可動装飾片２１の先端部においては、表面部２３の先端壁部に係合穴２３ｂが形成され、蓋部２４の先端に係合穴２３ｂに係合可能な係合爪２４ｂが形成されており、係合穴２３ｂと係合爪２４ｂとの係合により表面部２３の先端と蓋部２４の先端とが固定されている。また、Ｙ字形可動装飾片２２の先端部においては、表面部２５の先端壁部に係合穴２５ｃが形成され、蓋部２６ｂ，２６ｃの先端に係合穴２５ｃに係合可能な係合爪２６ｇが形成されており、係合穴２５ｃと係合爪２６ｇとの係合により表面部２５の先端と蓋部２６ｂ，２６ｃの先端とが固定されている。
【００３７】
また、Ｙ字形可動装飾片２２の中央に取り付けられた蓋部２６ａの後部には、ねじ穴２６ｄを備えた突部２６ｅと同形の突部２６ｆが形成され、Ｙ字形可動装飾片２１の中央には、前後に貫通するねじ挿通穴２１ｃが形成されている。そして、中心連結部２８は、ねじ２８ａとワッシャ２８ｂ（図４参照）とで構成されており、ワッシャ２８ｂの穴部を通したねじ２８ａを、Ｙ字形可動装飾片２１の後部側からねじ挿通穴２１ｃに通し、Ｙ字形可動装飾片２２の突部２６ｆのねじ穴に螺合させることにより、両Ｙ字形可動装飾片２１，２２を互いに回転可能な状態で連結している。
【００３８】
そして、中心連結部２８を介して連結された一対のＹ字形可動装飾片２１，２２を６組作り、この６組のＹ字形可動装飾片２１，２２を、それぞれＹ字形可動装飾片２１とＹ字形可動装飾片２２との端部どうしを端部連結部２７を介して順次連結していくことにより、図１３に示した環状のシャッター部２０が形成される。この場合、内部側に位置する片２１ａと片２２ａとを連結していき、連結されない残りの片２１ａ，２２ａは、外部側に位置させておく。六対のＹ字形可動装飾片２１，２２のうちの一対のＹ字形可動装飾片２１，２２を、装置本体１０の内部における上部中央に配置し、一対のＹ字形可動装飾片２１，２２を下部中央に配置する。そして、二対のＹ字形可動装飾片２１，２２を装置本体１０の内部における左側に上下に配置し、残りの二対のＹ字形可動装飾片２１，２２を装置本体１０の内部における右側に上下に配置する。
【００３９】
また、図５に示したように、装置本体１０の内部における上部中央に配置したＹ字形可動装飾片２２の中心には、ねじ２８ａと同軸上に位置するねじ２９ａを取り付ける。そして、ねじ２９ａの前端にワッシャ２９ｂを介して、上部固定ガイド部１３にスライド移動が可能な摺動部２９を取り付ける。これによって、上部中央に配置した一対のＹ字形可動装飾片２１，２２の中央の連結部は、摺動部２９を介して上部固定ガイド部１３に沿って上下移動が可能になる。また、図示は省略するが、下部中央に配置した一対のＹ字形可動装飾片２１，２２のねじ２８ａには、下部固定ガイド部１４にスライド移動が可能な摺動部が取り付けられ、これによって、下部中央に配置した一対のＹ字形可動装飾片２１，２２の中央の連結部は、摺動部を介して下部固定ガイド部１４に沿って上下移動が可能になる。
【００４０】
さらに、左側に上下に配置した二対のＹ字形可動装飾片２１，２２における左側に位置する端部連結部２７に、左固定ガイド部１５にスライド移動が可能な摺動部が設けられ、右側に上下に配置した二対のＹ字形可動装飾片２１，２２における右側に位置する端部連結部２７に、右固定ガイド部１６にスライド移動が可能な摺動部が設けられている。これによって、左側に上下に配置した二対のＹ字形可動装飾片２１，２２の一方のＹ字形可動装飾片２１と他方のＹ字形可動装飾片２２の端部どうしの連結部は、摺動部を介して左固定ガイド部１５に沿って左右に移動可能になり、右側に上下に配置した二対のＹ字形可動装飾片２１，２２の一方のＹ字形可動装飾片２１と他方のＹ字形可動装飾片２２の端部どうしの連結部は、摺動部を介して右固定ガイド部１６に沿って左右に移動可能になる。
【００４１】
駆動装置３０Ｌは、装置本体１０の左側に位置する駆動装置収容部１１ａに設置され、駆動装置３０Ｒは、装置本体１０の右側に位置する駆動装置収容部１１ｂに設置されており、駆動装置３０Ｌと駆動装置３０Ｒは左右対称に配置されている。駆動装置３０Ｌは、図１４に示したように、モータ３１と、減速ギア３２と、スライダーギア３３と、移動ガイド部３４とを備えている。モータ３１は、モータ本体３１ａと、モータ本体３１ａから延びる回転軸（図示せず）と、回転軸の先端に取り付けられたモータギア３１ｂとで構成されている。そして、モータ本体３１ａは裏面ケース１０ｂの右側部の裏面（図４参照）に取り付けられ、回転軸は裏面ケース１０ｂを貫通して装置本体１０の内部に延びている。このためモータギア３１ｂは装置本体１０の内部に位置している。
【００４２】
減速ギア３２は、モータ３１の近傍で、裏面ケース１０ｂから装置本体１０の内部に向かってモータ３１の回転軸と平行に延びる軸部３２ａと、軸部３２ａの先端部に回転可能に支持されたギア部３２ｂとで構成されており、ギア部３２ｂは、モータギア３１ｂと歯合している。このため、モータ３１が作動すると、回転軸が回転し、回転軸の回転がモータギア３１ｂを介してギア部３２ｂに伝わりギア部３２ｂが回転する。また、ギア部３２ｂの歯部数は、モータギア３１ｂの歯部数よりも多くなっており、これによって、ギア部３２ｂの回転数はモータギア３１ｂの回転数よりも少なくなる。
【００４３】
スライダーギア３３は、横断面形状が略Ｌ形の縦長の部材で構成されており、表面ケース１０ａの裏面に沿って上下に延びる被ガイド部３３ａと、装置本体１０の周面部内面に沿って上下に延びるラックギア部３３ｂとを備えている。表面ケース１０ａにおける被ガイド部３３ａに対向する部分には、左右に間隔を保って平行して上下に延びる一対のガイド溝１７が形成され、被ガイド部３３ａには、ガイド溝１７に対して移動可能に係合する一対の突部（図示せず）が形成されている。また、ラックギア部３３ｂは、歯部を装置本体１０の内部に向けた状態に配置されており、この歯部に減速ギア３２のギア部３２ｂが歯合している。このため、モータ３１の作動により、スライダーギア３３は上下移動する。その際、被ガイド部３３ａの突部とガイド溝１７とのスライド係合により、スライダーギア３３はがたつくことなくスムーズに、かつ正確な軌道に沿って移動する。
【００４４】
また、被ガイド部３３ａの上端部は、ラックギア部３３ｂの上端部よりも上方に延びており、被ガイド部３３ａにおける上方に突出した部分に、移動ガイド部３４が取り付けられている。移動ガイド部３４は、長円状の板状底部に、板状底部の縁部に沿って後方に延びる壁部を設けた形状をしており、壁部で囲まれる凹部がガイド溝３４ａを構成している。そして、ガイド溝３４ａを装置本体１０の内部に向け長手方向を左右方向に向けた状態で、移動ガイド部３４は、被ガイド部３３ａに取り付けられている。駆動装置３０Ｒは、駆動装置３０Ｌと左右対称に配置されているが構成は同じであるため、同一部分に同一符号を記して説明は省略する。なお、駆動装置３０Ｌと駆動装置３０Ｒとは同期して駆動させることが必要である。
【００４５】
また、６個のＹ字形可動装飾片２１のうちの左側上部に配置されたＹ字形可動装飾片２１と、右側上部に配置されたＹ字形可動装飾片２２とにおける他のＹ字形可動装飾片２２やＹ字形可動装飾片２１と連結されていない片２１ａ，２２ａの先端前面には、それぞれ前方に突出する摺動ピン２１ｄ（図８参照），２２ｂ（図９ないし図１１参照）が設けられている。そして、この摺動ピン２１ｄ，２２ｂの先端は、移動ガイド部３４のガイド溝３４ａ内に位置しており、これによって、Ｙ字形可動装飾片２１，２２の摺動ピン２１ｄ，２２ｂが設けられた部分は、ガイド溝３４ａの長手方向に沿って移動可能になっている。すなわち、摺動ピン２１ｄ，２２ｂは、モータ３１の作動により、スライダーギア３３とともに上下移動するとともに、ガイド溝３４ａに沿って左右に移動可能になっている。
【００４６】
また、裏面ケース１０ｂの左右両側の上部における摺動ピン２１ｄ，２２ｂの可動範囲に対応する部分には、前方に突出する支持リブ１８ａ，１８ｂがそれぞれ上方外部側から下方内部側に向かって左右対称に形成されている。支持リブ１８ａ，１８ｂは、外部側が凸状になる曲線状に形成されている。摺動ピン２１ｄ，２２ｂの後端側には、緩衝部２５ｂ（Ｙ字形可動装飾片２１の緩衝部は図示せず）がそれぞれ設けられており、摺動ピン２１ｄ，２２ｂがガイド溝３４ａに沿って移動する際に、緩衝部２５ｂは、それぞれ支持リブ１８ａ，１８ｂに支持された状態で移動する。これによって、Ｙ字形可動装飾片２１，２２と裏面ケース１０ｂとの間の摩擦が小さくなり、Ｙ字形可動装飾片２１，２２がスムーズに移動できるようになる。
【００４７】
また、前述したように、上部中央に配置した一対のＹ字形可動装飾片２１，２２の中央の連結部は、上部固定ガイド部１３に沿って上下移動が可能で、下部中央に配置した一対のＹ字形可動装飾片２１，２２の中央の連結部は、下部固定ガイド部１４に沿ってそれぞれ上下移動が可能になっている。また、左側に上下に配置した二対のＹ字形可動装飾片２１，２２の一方のＹ字形可動装飾片２１と他方のＹ字形可動装飾片２２との端部の連結部は、左固定ガイド部１５に沿って左右に移動可能で、右側に上下に配置した二対のＹ字形可動装飾片２１，２２の一方のＹ字形可動装飾片２１と他方のＹ字形可動装飾片２２との端部の連結部は、右固定ガイド部１６に沿ってそれぞれ左右に移動可能になっている。
【００４８】
このため、２つのモータ３１をそれぞれ作動させることにより、シャッター部２０の所定部分がそれぞれ対応する上部固定ガイド部１３等に沿って移動して、その形状が変化する。スライダーギア３３を下方に位置させたときには、２つの摺動ピン２１ｄ，２２ｂはそれぞれ下方内部側に位置するようになり、シャッター部２０における上部固定ガイド部１３等にガイドされる部分は、それぞれ装置本体１０の中央側に位置するようになる。この場合、シャッター部２０は、図１５に示したように全体に満遍なく広がった状態になり遊技面の表示パネルを覆う。
【００４９】
図１５に示した状態から、両スライダーギア３３をそれぞれ上昇させて可動範囲の中央に位置させたときには、両摺動ピン２１ｄ，２２ｂは上昇していくとともに、左右の外部側に移動していく。この摺動ピン２１ｄ，２２ｂの移動に連動して、シャッター部２０における上部固定ガイド部１３等にガイドされる部分は、それぞれ装置本体１０の上下左右の外側に向かって移動する。この場合、左上のＹ字形可動装飾片２１は、左側の片２１ａを上方左側に移動させながら時計周り方向に回転して全体として上方左側に移動し、右上のＹ字形可動装飾片２２は、右側の片２２ａを上方右側に移動させて反時計周り方向に回転して全体として上方右側に移動する。
【００５０】
また、左上のＹ字形可動装飾片２２は、左下のＹ字形可動装飾片２１との連結部を左固定ガイド部１５にガイドされて左側に僅かに移動しながら左上のＹ字形可動装飾片２１に追従して上昇して反時計周り方向に回転し、右上のＹ字形可動装飾片２１は、右下のＹ字形可動装飾片２２との連結部を右固定ガイド部１６にガイドされて右側に僅かに移動しながら左上のＹ字形可動装飾片２２に追従して上昇して時計周り方向に回転する。そして、上部中央のＹ字形可動装飾片２１は、左上のＹ字形可動装飾片２２に連結された片２１ａが上方左側に付勢されて時計周り方向に回転し、上部中央のＹ字形可動装飾片２２は、右上のＹ字形可動装飾片２１に連結された片２２ａが上方右側に付勢されて反時計周り方向に回転する。その際、上部中央のＹ字形可動装飾片２１とＹ字形可動装飾片２２との中心部連結部は、上部固定ガイド部１３に沿って上昇する。
【００５１】
一方、左下のＹ字形可動装飾片２２は、左上のＹ字形可動装飾片２１との連結部が下方左側に付勢されて反時計周り方向に回転して全体として下方左側に移動し、右下のＹ字形可動装飾片２１は、右上のＹ字形可動装飾片２２との連結部が下方右側に付勢されて時計周り方向に回転して全体として下方右側に移動する。また、左下のＹ字形可動装飾片２１は、左上のＹ字形可動装飾片２２との連結部を左固定ガイド部１５にガイドされて左側に僅かに移動しながら左下のＹ字形可動装飾片２２に追従して下降して時計周り方向に回転し、右下のＹ字形可動装飾片２２は、右上のＹ字形可動装飾片２１との連結部を右固定ガイド部１６にガイドされて右側に僅かに移動しながら右下のＹ字形可動装飾片２１に追従して下降して反時計周り方向に回転する。
【００５２】
そして、下部中央のＹ字形可動装飾片２２は、左下のＹ字形可動装飾片２１に連結された片２２ａが下方左側に付勢されて反時計周り方向に回転し、下部中央のＹ字形可動装飾片２１は、右下のＹ字形可動装飾片２２に連結された片２１ａが下方右側に付勢されて時計周り方向に回転する。その際、上部中央のＹ字形可動装飾片２１とＹ字形可動装飾片２２との中心連結部は、下部固定ガイド部１４に沿って下降する。これによって、シャッター部２０は、図１６に示したように中央部分が開いた状態になり表示パネルの中央部分を露出させる。図１６の状態から、さらに、両スライダーギア３３を上昇させて可動範囲の上端近傍に位置させたときには、両摺動ピン２１ｄ，２２ｂはさらに上昇していくとともに、左右の外部側に移動していく。
【００５３】
両摺動ピン２１ｄ，２２ｂの移動に連動して、シャッター部２０における上部固定ガイド部１３等にガイドされる部分は、それぞれ装置本体１０の上下左右の外側に向かってさらに移動する。これによって、シャッター部２０は、図１７に示したように中央部分が完全に開いた環状になり表示パネル全体を露出させる。このように、両スライダーギア３３を下方から上方に移動させる場合には、全てのＹ字形可動装飾片２１は、時計周り方向に回転しながら中央側から外部側に広がっていき、全てのＹ字形可動装飾片２２は、反時計周り方向に回転しながら中央側から外部側に広がっていく。
【００５４】
また、両スライダーギア３３を上方から下方に移動させた場合には、全てのＹ字形可動装飾片２１は、反時計周り方向に回転しながら外部側から中央側に狭まって行き、全てのＹ字形可動装飾片２２は、時計周り方向に回転しながら外部側から中央側に狭まっていく。これによって、シャッター部２０は、図１７の状態から図１６の状態を経て図１５の状態になる。そして、両スライダーギア３３を連続的に上下移動させると、シャッター部２０は、図１５ないし図１７の状態に連続して変化するようになる。これによって、シャッター部２０は、Ｙ字形可動装飾片２１とＹ字形可動装飾片２２とを反対方向に回転させながら閉じたり開いたりする動作を繰り返す。
【００５５】
発光装置４０Ｕは、装置本体１０の上部に設置され、発光装置４０Ｄは、装置本体１０の下部に設置されている。発光装置４０Ｕ，４０Ｄは、それぞれ、前述したプリント配線板４１，４２、複数のＬＥＤ４３および制御基板とプリント配線板４１，４２とをそれぞれ接続する配線（図示せず）とで構成されている。ＬＥＤ４３は、図１２に示したように、プリント配線板４１，４２の各片の先端部分に設けられている他、プリント配線板４１，４２の中心部やその近傍および各片の中央部等にも設けられており、各プリント配線板４１，４２にそれぞれ５〜８個程度設けられている。
【００５６】
この場合、ＬＥＤ４３を、端部連結部２７や中心連結部２８の軸上に設けてもよい。各ＬＥＤ４３は、プリント配線板４１，４２の配線を介してコネクタ４１ａ，４２ａに接続されている。そして、装置本体１０の上部側に位置するプリント配線板４１，４２、ＬＥＤ４３および配線とで発光装置４０Ｕが構成され、装置本体１０の下部側に位置するプリント配線板４１，４２、ＬＥＤ４３および配線とで発光装置４０Ｄが構成される。
【００５７】
また、制御基板収容部１２ａ，１２ｂには、それぞれ制御基板が設置されており、この制御基板には、ＩＣ、抵抗器、コンデンサ等からなる複数の電子部品が装着されている。そして、制御基板収容部１２ａに設置された制御基板には、発光装置４０Ｕの配線やモータ３１から延びる配線（図示せず）が接続され、制御基板収容部１２ｂに設置された制御基板には、発光装置４０Ｄの配線が接続されている。この制御基板は、パチンコ機本体が備える制御部に接続され制御部と連係して可動装飾装置Ａを制御する。すなわち、制御基板は、制御部の制御によって作動して、シャッター部２０を変形させたり、ＬＥＤ４３を点灯させたり点滅させたりする。
【００５８】
このように構成された可動装飾装置Ａは、パチンコ機を使用して遊技が行われている際に、所定のタイミングで、シャッター部２０を変形させたり、ＬＥＤ４３を点灯させたり点滅させたりすることにより、遊技の面白さを増加させる。また、遊技状態が、大当たりの前のリーチの状態になったときに、シャッター部２０が変形したり、ＬＥＤ４３が点灯したり点滅したりするように設定することもできる。
【００５９】
以上のように、本実施形態に係る可動装飾装置Ａでは、Ｙ字形可動装飾片２１，２２を重ねてその中心どうしを中心連結部２８で互いに回転可能にした状態で連結したものを６対準備し、６対のＹ字形可動装飾片２１，２２のそれぞれの２つの片２１ａ，２２ａの先端部側部分を端部連結部２７で互いに回転可能にした状態で順次連結していくことにより変形可能な環状のシャッター部２０を構成している。そして、Ｙ字形可動装飾片２１，２２の連結部のうちの上下左右に位置する部分をそれぞれ、上部固定ガイド部１３等に沿って上下または左右に移動可能にするとともに、左右上部のＹ字形可動装飾片２１，２２を駆動装置３０Ｌ，３０Ｒの作動により移動させて、シャッター部２０を広げたり狭めたりできるように構成されている。
【００６０】
このため、シャッター部２０が大きく移動するようになり、シャッター部２０全体の動きが変化に富むものとなる。また、装置本体１０の左右に設けられた２つの駆動装置３０Ｌ，３０Ｒで左右上部のＹ字形可動装飾片２１，２２を移動させるため、シャッター部２０に係る力が左右にバランスがとれたものになり、シャッター部２０を構成する各Ｙ字形可動装飾片２１，２２がスムーズに移動できるようになる。また、各Ｙ字形可動装飾片２１，２２には、複数のＬＥＤ４３が設置されているため、シャッター部２０の動きによる変化に加えて、光を発生することができるようになり、さらに面白味が増すようになる。
【００６１】
また、各Ｙ字形可動装飾片２１，２２におけるコネクタ４１ａ，４２ａが設けられた部分がシャッター部２０の上部または下部に位置するため、各制御基板とコネクタ４１ａ，４２ａとを接続する配線を短くでき、配線が各Ｙ字形可動装飾片２１，２２の移動の邪魔になることを防止できる。また、配線が装置本体１０内の空間部に露出することを防止できるため配線によって、可動装飾装置Ａの美観が損なわれることも防止できる。
【００６２】
（第２実施形態）
また、図１８ないし図２０は、本発明の第２実施形態に係る遊技機の可動装飾装置が備えるシャッター部５０のそれぞれ異なる状態を示している。このシャッター部５０は、４個の十字形可動装飾片５１と、４個の十字形可動装飾片５２とを互いに回転可能な状態に組み付けて構成されており、４個の十字形可動装飾片５１は後部側に配置され、４個の十字形可動装飾片５２は４個の十字形可動装飾片５１の前部側に重なって配置されている。各十字形可動装飾片５１は、中心から９０度の角度を保って延びる４つの片５１ａを備えており、各十字形可動装飾片５２は、中心から９０度の角度を保って延びる４つの片５２ａを備えている。
【００６３】
そして、各十字形可動装飾片５１は、表面部と、表面部の裏面にねじによって取り付けられた３つの片からなる略Ｙ形板状の蓋部とで構成されており、内部に４つの片からなる十字形のプリント配線板が収納されている。この十字形可動装飾片５１は、Ｙ字形可動装飾片２１が３つの片２１ａを備えているのに対し、４つの片５１ａを備えていること以外は、Ｙ字形可動装飾片２１と略同じ構成をしている。また、前部側に配置される各十字形可動装飾片５２は、表面部と４つに分割された蓋部を備えており、内部に十字形のプリント配線板が収容されている。この十字形可動装飾片５２は、Ｙ字形可動装飾片２２が３つの片２２ａを備えているのに対し、４つの片５２ａを備えていること以外は、Ｙ字形可動装飾片２２と略同じ構成をしている。
【００６４】
シャッター部５０は、このような後部側に配置される４個の十字形可動装飾片５１と、前部側に配置される４個の十字形可動装飾片５２とを、端部連結部５７と中心連結部５８とを介して組み付けることにより形成されている。そして、シャッター部５０は、前述した可動装飾装置Ａと同様の構成の可動装飾装置に、シャッター部２０に代わって取り付けられる。この場合、各中心連結部５８の近傍部分を、上部固定ガイド部等の各固定ガイド部に移動可能に取り付けるとともに、左右に位置する十字形可動装飾片５１または５２の一部を駆動装置の作動によって移動可能にする。
【００６５】
このシャッター部５０を備えた可動装飾装置を作動させたときには、シャッター部５０は、図１８のように、各十字形可動装飾片５１，５２が中央側に寄って環状を閉じた形状、図１９のように、各十字形可動装飾片５１，５２がやや外部側に広がって中央部分を僅かに開けた形状、そして、図２０のように、各十字形可動装飾片５１，５２が外部側に広がって環状を大きく広げた形状に変化していく。このシャッター部５０を備えた可動装飾装置によっても、前述した可動装飾装置Ａと同様の作用効果を得ることができる。
【００６６】
また、本発明に係る遊技機の可動装飾装置は、前述した各実施形態に限定するものでなく、適宜変更することができる。例えば、可動装飾片の形状は、Ｙ字形や十字形に限らず他の形状でもよいし、可動装飾片の数も１２個や８個に限らず他の数でもよい。さらに、可動装飾片は重ねずに平面状の環状に形成してもよい。また、本発明に係る可動装飾装置のそれ以外の部分の構成についても本発明の技術的範囲内で適宜変更して実施することが可能である。
【符号の説明】
【００６７】
１０…装置本体、１３…上部固定ガイド部、１４…下部固定ガイド部、１５…左固定ガイド部、１６…右固定ガイド部、２０，５０…シャッター部、２１，２２…Ｙ字形可動装飾片、２１ａ，２２ａ…片、２７，５７…端部連結部、２８，５８…中心連結部、２９…摺動部、３０Ｌ，３０Ｒ…駆動装置、３１…モータ、３２…減速ギア、３３…スライダーギア、３４…移動ガイド部、４１，４２…プリント配線板、４１ａ，４２ａ…コネクタ、４３…ＬＥＤ、５１，５２…十字形可動装飾片、５１ａ，５２ａ…片、Ａ…可動装飾装置。
【図１】
0005467317.tif 000002
【図２】
0005467317.tif 000003
【図３】
0005467317.tif 000004
【図４】
0005467317.tif 000005
【図５】
0005467317.tif 000006
【図６】
0005467317.tif 000007
【図７】
0005467317.tif 000008
【図８】
0005467317.tif 000009
【図９】
0005467317.tif 000010
【図１０】
0005467317.tif 000011
【図１１】
0005467317.tif 000012
【図１２】
0005467317.tif 000013
【図１３】
0005467317.tif 000014
【図１４】
0005467317.tif 000015
【図１５】
0005467317.tif 000016
【図１６】
0005467317.tif 000017
【図１７】
0005467317.tif 000018
【図１８】
0005467317.tif 000019
【図１９】
0005467317.tif 000020
【図２０】
0005467317.tif 000021